(57)【要約】      （修正有）【課題】物品を収納できるとともに、充電、加熱やデキャンタージュの機能を提供できる酒貯蔵庫を提供する。【解決手段】酒貯蔵庫はドア１、本体２、上蓋３、及び機能モジュール４を含み、ドアは本体入口にヒンジ連結され、上蓋は本体の最上部に設けられ、フリップ部５と蓋体部６を含み、蓋体部に収納溝６１及び機能モジュール装着キャビティ６２が設けられ、フリップ部が収納溝を開閉するために蓋体部に可動に設けられ、機能モジュールは機能モジュール装着キャビティに配置され、蓋体部の天面のうち機能モジュールに対応する位置に機能領域が形成される。上蓋は本体と個別に設計され、上蓋により本体の最上部の保温層の厚さが増加し、本体の保温効果が高まり、それにより、酒貯蔵庫のエネルギー消費量が低下し、さらに、小物品を収納溝に保存でき、酒貯蔵庫の最上部の空間が活用される。【選択図】図４
0003234592.tif 000002
【実用新案登録請求の範囲】
【請求項１】
酒貯蔵庫であって、
ドア、本体、上蓋及び機能モジュールを含み、前記ドアは本体の入口にヒンジ連結され、上蓋は本体の最上部に設けられ、フリップ部と蓋体部を含み、前記蓋体部に収納溝及び機能モジュール装着キャビティが開けられ、フリップ部が収納溝を開閉するために蓋体部に可動に設けられ、前記機能モジュールは機能モジュール装着キャビティに配置され、蓋体部の天面のうち機能モジュールに対応する位置に機能領域が形成される、酒貯蔵庫。
【請求項２】
前記機能モジュールは無線充電モジュール、誘導加熱モジュール又は磁気誘導デキャンタに適合する誘導デキャンタージュモジュールである、ことを特徴とする請求項１に記載の酒貯蔵庫。
【請求項３】
前記蓋体部に対応する機能領域に化粧板が設けられる、ことを特徴とする請求項２に記載の酒貯蔵庫。
【請求項４】
前記化粧板に対応する機能領域に対応する機能標識が設けられる、ことを特徴とする請求項３に記載の酒貯蔵庫。
【請求項５】
前記機能標識は無線充電標識、誘導加熱標識又はデキャンタージュ標識である、ことを特徴とする請求項４に記載の酒貯蔵庫。
【請求項６】
前記フリップ部は蓋体部に回動可能に設けられる、ことを特徴とする請求項１に記載の酒貯蔵庫。
【請求項７】
前記ドアは一回に射出成形されるドアである、ことを特徴とする請求項１に記載の酒貯蔵庫。
【請求項８】
前記化粧板とフリップ部は、材質、色調及びスタイルが同じである、ことを特徴とする請求項３に記載の酒貯蔵庫。
【請求項９】
前記上蓋は本体の最上部に配置され、ドアを超えた部分がドアの防塵パネルとなる、ことを特徴とする請求項１に記載の酒貯蔵庫。
【請求項１０】
前記上蓋には、酒貯蔵庫の機能を調整するコントロールパネルが設けられる、ことを特徴とする請求項１に記載の酒貯蔵庫。
【請求項１１】
前記フリップ部は木目調フリップ部である、ことを特徴とする請求項１に記載の酒貯蔵庫。
【請求項１２】
前記化粧板は木目調化粧板である、ことを特徴とする請求項３に記載の酒貯蔵庫。
【請求項１３】
棚をさらに含み、
棚は本体内に設けられ、上層板、下層板、支持ロッド、及び化粧品を収納する化粧ボックスを含み、前記支持ロッドは一端が上層板に接続され、他端が下層板に接続され、前記上層板、支持ロッド及び下層板により酒を収納する棚が画定され、前記上層板にワイングラス係止溝が開けられ、下層板はその幅方向に間隔を空けて複数の横方向スロットが開けられ、前記化粧ボックスの底部にシートが設けられ、前記シートは横方向スロットに挿入され、化粧ボックスは下層板に係合され、棚のレイアウトを調整し、
複数の仕切り層板をさらに含み、前記棚は本体のチャンバーの上部に設けられ、前記仕切り層板は間隔を空けて本体のチャンバーの下部に設けられ、仕切り層板と仕切り層板との間が酒貯蔵領域となる、ことを特徴とする請求項１に記載の酒貯蔵庫。
【請求項１４】
第１の仕切り板と第２の仕切り板をさらに含み、前記第１の仕切り板の底部に挿入板が設けられ、第２の仕切り板の底部にプラグが間隔を空けて設けられ、前記下層板はその幅方向に沿って間隔を空けて複数のソケットを開けており、下層板はその幅方向に沿って複数の縦方向スロットを開けており、
前記挿入板は横方向スロット又は縦方向スロットに係合され、第１の仕切り板は棚を仕切り、棚のレイアウトを調整し、
前記プラグは横方向スロット又は縦方向スロットに係合され、第２の仕切り板は棚を仕切り、棚のレイアウトを調整し、
前記プラグは対応するソケットに挿入され、第２の仕切り板はソケットに係合され、第２の仕切り板は棚を仕切り、棚のレイアウトを調整する、ことを特徴とする請求項１３に記載の酒貯蔵庫。
【請求項１５】
前記化粧ボックス内に層板が配置され、前記層板には口紅を置くための配置口が間隔を空けて開けられ、
前記化粧ボックスの最上部が開放し、開放部にはカバーが設けられ、カバーは化粧ボックスを開閉する、ことを特徴とする請求項１３に記載の酒貯蔵庫。
【請求項１６】
前記第２の仕切り板の最上部には、酒瓶の配置を容易にする凹溝が設けられ、前記凹溝は円弧形凹溝である、ことを特徴とする請求項１４に記載の酒貯蔵庫。
【請求項１７】
前記ソケットは、位置が横方向スロットの位置に対応し、対応する横方向スロットを貫通する、ことを特徴とする請求項１４に記載の酒貯蔵庫。
【考案の詳細な説明】
【技術分野】
【０００１】
本考案は酒貯蔵庫に関する。
【背景技術】
【０００２】
酒貯蔵庫とは酒を収納する冷凍庫のことであり、従来の酒貯蔵庫には大型酒貯蔵庫と小型酒貯蔵庫がある。小型酒貯蔵庫は居間に配置することができ、小型酒貯蔵庫の体積が小さいので、従来の小型酒貯蔵庫の最上部が露出しており、ごくわずかの使用者が物品を酒貯蔵庫の最上部に置き、このため、この空間が物品を置くことにのみ使用され、その利用が不十分である。
【考案の概要】
【考案が解決しようとする課題】
【０００３】
本考案の目的は、物品を収納できるとともに、機能（例えば、充電、加熱やデキャンタージュの機能）を提供できる酒貯蔵庫を提供することである。
【課題を解決するための手段】
【０００４】
本考案の目的は以下のように実現される。
酒貯蔵庫であって、ドア、本体、上蓋及び機能モジュールを含み、前記ドアは本体の入口にヒンジ連結され、上蓋は本体の最上部に設けられ、フリップ部と蓋体部を含み、前記蓋体部に収納溝及び機能モジュール装着キャビティが開けられ、フリップ部が収納溝を開閉するために蓋体部に可動に設けられ、前記機能モジュールは機能モジュール装着キャビティに配置され、蓋体部の天面のうち機能モジュールに対応する位置に機能領域が形成される。
【０００５】
前記上蓋は本体の最上部に設けられ、本体と個別に設計され、上蓋により本体の最上部の保温層の厚さが増加し、本体の保温効果が高まり、それにより酒貯蔵庫のエネルギー消費量が低下し、さらに、上蓋に収納溝が設けられており、使用者がフリップ部を反転させると収納溝を開閉することができ、小物品を収納溝に保存したりすることができ、また、上蓋に機能モジュールが設けられており、使用者が機能モジュールによる対応する機能を利用することができ、このように、酒貯蔵庫の最上部の空間が活用され、酒貯蔵庫の実用性が向上し、使用者のニーズが満たされる。
【０００６】
さらに、前記上蓋と本体は分離可能であり、上蓋のさらなる設計が可能であり、本体の構造が一定の場合、上蓋の設計を変更することにより、様々な意匠案が可能である。
【０００７】
本考案の目的は以下の技術手段によっても解決できる。
さらに、前記機能モジュールは無線充電モジュール、誘導加熱モジュール又は磁気誘導デキャンタに適合する誘導デキャンタージュモジュールである。前記機能モジュールを無線充電モジュールとすると、使用者が携帯電話などの機器を無線充電モジュールにより無線充電することができ、前記機能モジュールを誘導加熱モジュールとすると、使用者がワイングラスを誘導加熱モジュールに置いて加熱することができ、前記機能モジュールを誘導デキャンタージュモジュールとすると、使用者がデキャンタを誘導デキャンタージュモジュールに置いて誘導デキャンタージュを行うことができ、それにより、無線充電、加熱又はデキャンタージュ機能が達成され、使用者の様々なニーズが満たされる。
【０００８】
さらに、前記蓋体部に対応する機能領域に化粧板が設けられる。化粧板が設けられることにより、酒貯蔵庫の外観性を向上させる。
【０００９】
さらに、前記化粧板に対応する機能領域に対応する機能標識が設けられる。有機能標識が設けられることにより、使用者がこの領域がどの機能を果たすかを直観的に把握できる。
【００１０】
さらに、前記機能標識は無線充電標識、誘導加熱標識又はデキャンタージュ標識である。
【００１１】
さらに、前記フリップ部は蓋体部に回動可能に設けられる。
【００１２】
さらに、前記ドアは一回に射出成形されるドアである。一回に射出成形されるドアは、一般的な酒貯蔵庫のようにアルミ型材を接合したドアと異なり、一回射出成形のプロセスを採用することにより、外観性がよりよく、本体が一定の場合、ドアの設計だけを拡張させて、様々なスタイルの外観にすることが可能である。
【００１３】
さらに、前記化粧板とフリップ部は、材質、色調及びスタイルが同じである。前記化粧板とフリップ部の材質、色調及びスタイルを同じにすることにより、上蓋全体の効果が高まり、酒貯蔵庫の外観性が向上する。
【００１４】
さらに、前記上蓋は本体の最上部に配置され、ドアを超えた部分がドアの防塵パネルとなる。
【００１５】
さらに、前記上蓋には、酒貯蔵庫の機能を調整するコントロールパネルが設けられる。
【００１６】
さらに、前記フリップ部は木目調フリップ部である。
【００１７】
さらに、前記化粧板は木目調化粧板である。
【００１８】
さらに、前記酒貯蔵庫は棚をさらに含み、前記棚は上層板、下層板、支持ロッド、及び化粧品を収納する化粧ボックスを含み、前記支持ロッドは一端が上層板に接続され、他端が下層板に接続され、前記上層板、支持ロッド及び下層板により酒を収納する棚が画定され、前記上層板にワイングラス係止溝が開けられ、下層板はその幅方向に間隔を空けて複数の横方向スロットが開けられ、前記化粧ボックスの底部にシートが設けられ、前記シートは横方向スロットに挿入され、化粧ボックスは下層板に係合され、棚のレイアウトを調整する。前記酒貯蔵庫は複数の仕切り層板をさらに含み、前記棚は本体のチャンバーの上部に設けられ、前記仕切り層板は間隔を空けて本体のチャンバーの下部に設けられ、仕切り層板と仕切り層板との間が酒貯蔵領域となる。
【００１９】
前記化粧ボックスの底部にシートが設けられ、使用者はシートを横方向スロットに挿入することで、化粧ボックスを下層板に固定し、化粧ボックスを棚に取りつけることができ、酒を棚に置き、化粧品を化粧ボックスに入れると、酒貯蔵庫は酒及び化粧品を冷蔵することができ、それにより、酒貯蔵庫の機能が多様化され、様々な使用者のニーズが満たされ、棚の実用性が大幅に向上する。
【００２０】
より具体的な態様としては、第１の仕切り板と第２の仕切り板をさらに含み、前記第１の仕切り板の底部に挿入板が設けられ、第２の仕切り板の底部にプラグが間隔を空けて設けられ、前記下層板はその幅方向に沿って間隔を空けて複数のソケットを開けており、下層板はその幅方向に沿って複数の縦方向スロットを開けており、
前記挿入板は横方向スロット又は縦方向スロットに係合され、第１の仕切り板は棚を仕切り、棚のレイアウトを調整し、
前記プラグは横方向スロット又は縦方向スロットに係合され、第２の仕切り板は棚を仕切り、棚のレイアウトを調整し、
前記プラグは対応するソケットに挿入され、第２の仕切り板はソケットに係合され、第２の仕切り板は棚を仕切り、棚のレイアウトを調整する。
【００２１】
前記第１の仕切り板は横方向スロット又は縦方向スロットに係合され、第２の仕切り板は横方向スロット、縦方向スロット又はソケットに係合され、それにより、第１の仕切り板と第２の仕切り板の両方により棚が仕切られ、棚のレイアウトが調整され、使用者は酒瓶のタイプやサイズに応じて第１の仕切りと第２の仕切り板の両方により棚のレイアウトを調整することができ、酒瓶を棚に安定的に置けるとともに、レイアウトの変更により棚の収納空間を増大し、酒貯蔵庫の棚の実用性を大幅に向上させる。
【００２２】
より具体的な態様としては、前記化粧ボックス内に層板が配置され、前記層板には口紅を置くための配置口が間隔を空けて開けられる。前記化粧ボックスには配置口が間隔を空けて開けられ、使用者は口紅を配置口に置くことで、口紅が緩むことを回避し、それにより、化粧ボックスの実用性が向上する。前記化粧ボックスの最上部が開放し、開放部にはカバーが設けられ、カバーは化粧ボックスを開閉する。カバーが設けられることにより、カバーで化粧ボックスを覆うことで、化粧ボックス内の物品が露出することを回避し、酒貯蔵庫の外観性を向上させる。
【００２３】
より具体的な態様としては、前記第２の仕切り板の最上部には、酒瓶の配置を容易にする凹溝が設けられ、前記凹溝は円弧形凹溝である。
【００２４】
より具体的な態様としては、前記ソケットは、位置が横方向スロットの位置に対応し、対応する横方向スロットを貫通する。
【考案の効果】
【００２５】
本考案の有益な効果は以下のとおりである。
本考案では、前記上蓋は本体の最上部に設けられて本体の最上部の保温層の厚さを増加し、それにより、本体の保温効果が高まり、酒貯蔵庫のエネルギー消費量が低下し、さらに、上蓋に収納溝が設けられており、使用者がフリップ部を反転させると収納溝を開閉することができ、小物品を収納溝に保存したりすることができ、また、上蓋に機能モジュールが設けられているので、使用者が機能モジュールによる対応する機能を利用することができ、このように、酒貯蔵庫の最上部の空間が活用され、酒貯蔵庫の実用性が向上し、使用者のニーズが満たされる。
【００２６】
本考案では、前記上蓋と本体は分離可能であり、上蓋のさらなる設計が可能であり、本体の構造が一定の場合、上蓋の設計を変更することにより、様々な意匠案が可能である。
【００２７】
本考案では、一回に射出成形されるドアは、一般的な酒貯蔵庫のようにアルミ型材を接合したドアと異なり、一回射出成形のプロセスを採用することにより、外観性がよりよく、本体が一定の場合、ドアの設計だけを拡張させて、様々なスタイルの外観にすることが可能である。
【００２８】
本考案では、前記機能モジュールを無線充電モジュールとすると、使用者が携帯電話などの機器を無線充電モジュールにより無線充電することができ、前記機能モジュールを誘導加熱モジュールとすると、使用者がワイングラスを誘導加熱モジュールに置いて加熱することができ、前記機能モジュールを誘導デキャンタージュモジュールとすると、使用者がデキャンタを誘導デキャンタージュモジュールに置いて誘導デキャンタージュを行うことができ、それにより、無線充電、加熱又はデキャンタージュ機能が達成され、使用者の様々なニーズが満たされる。
【００２９】
本考案では、前記化粧ボックスの底部にシートが設けられ、使用者はシートを横方向スロットに挿入することで、化粧ボックスを下層板に固定し、化粧ボックスを棚に取りつけることができ、酒を棚に置き、化粧品を化粧ボックスに入れると、酒貯蔵庫は酒及び化粧品を冷蔵することができ、それにより、酒貯蔵庫の機能が多様化され、様々な使用者のニーズが満たされ、棚の実用性が大幅に向上する。
【００３０】
本考案では、前記第１の仕切り板は横方向スロット又は縦方向スロットに係合され、第２の仕切り板は横方向スロット、縦方向スロット又はソケットに係合され、それにより、第１の仕切り板と第２の仕切り板の両方により棚が仕切られ、棚のレイアウトが調整され、使用者は酒瓶のタイプやサイズに応じて第１の仕切りと第２の仕切り板の両方により棚のレイアウトを調整することができ、酒瓶を棚に安定的に置けるとともに、レイアウトの変更により棚の収納空間を増大し、酒貯蔵庫の棚の実用性を大幅に向上させる。
【図面の簡単な説明】
【００３１】
【図１】酒貯蔵庫の模式図である。
【図２】酒貯蔵庫の上面図である。
【図３】酒貯蔵庫の左面図である。
【図４】酒貯蔵庫の模式的断面図である。
【図５】酒貯蔵庫の組み立て図である。
【図６】酒貯蔵庫の解体図である。
【図７】酒貯蔵庫の上蓋の模式図（表面の蓋が開かれた状態）である。
【図８】酒貯蔵庫の模式図（ドアを除く）である。
【図９】棚の模式図である。
【図１０】棚の第１の仕切り板の模式図である。
【図１１】棚の第２の仕切り板の模式図である。
【図１２】棚の化粧ボックスの模式図である。
【図１３】棚の化粧ボックスの別の角度からの模式図である。
【考案を実施するための形態】
【００３２】
以下、図面及び実施例を参照して本考案をさらに説明する。
実施例
図１〜図７に示すように、酒貯蔵庫は、ドア１、本体２、上蓋３、及び機能モジュール４を含み、前記ドア１は１回に射出成形されるドアであり、ドア１は本体２の入口にヒンジ連結される。
【００３３】
前記上蓋３はフリップ部５と蓋体部６を含み、前記蓋体部６に収納溝６１及び機能モジュール装着キャビティ６２が開けられ、前記フリップ部５が収納溝６１を開閉するために蓋体部６に回動可能に設けられ、使用者は小物品を収納溝６１に入れて保管することができる。前記蓋体部６に対応する機能領域に化粧板７が設けられ、前記化粧板７とフリップ部５は材質、色調及びスタイル（例えば、大理石調化粧板、木目調化粧板、錆調ガラス化粧板、岩石調化粧板やスポット模様付きガラス化粧板）が同じである。例えば、前記化粧板７は木目調化粧板であってもよく、前記フリップ部５は木目調フリップ部であってもよい。
【００３４】
実施例１
前記機能モジュール４は無線充電モジュールであり、無線充電モジュールは機能モジュール装着キャビティ６２内に配置され、蓋体部６の天面のうち無線充電モジュールに対応する位置に無線充電領域（即ち機能領域８）が形成され、前記化粧板７には、無線充電領域に対応して無線充電標識（即ち機能標識９）が設けられる。使用者が携帯電話などの機器を無線充電領域に置いて無線充電を行うことができ、それにより、酒貯蔵庫の最上部の空間が活用され、酒貯蔵庫の実用性が向上し、使用者のニーズが満たされる。
【００３５】
実施例２
前記機能モジュール４は誘導加熱モジュールであり、誘導加熱モジュールは機能モジュール装着キャビティ６２内に配置され、蓋体部６の天面のうち誘導加熱モジュールに対応する位置に誘導加熱領域（即ち機能領域８）が形成され、前記化粧板７には、誘導加熱領域に対応して誘導加熱標識（即ち機能標識９）が設けられる。
【００３６】
実施例３
前記機能モジュール４は誘導デキャンタージュモジュールであり、誘導デキャンタージュモジュールは機能モジュール装着キャビティ６２に配置され、蓋体部６の天面のうち誘導デキャンタージュモジュールに対応する位置に誘導デキャンタージュ領域（即ち機能領域８）が形成され、前記化粧板７には、誘導デキャンタージュ領域に対応して誘導デキャンタージュ標識（即ち機能標識９）が設けられる。
【００３７】
前記上蓋３は本体２の最上部に配置され、ドア１を超えた部分がドア防塵パネル１０となる。さらに、前記上蓋３には、酒貯蔵庫の機能を調整するためのコントロールパネル（図未せず）が設けられてもよい。
【００３８】
前記上蓋３は本体２の最上部に設けられて本体２の最上部の保温層の厚さを増加し、それにより、本体２の保温効果が高まり、酒貯蔵庫のエネルギー消費量が低下し、さらに、上蓋３に収納溝６１が設けられており、使用者がフリップ部５を反転させると収納溝６１を開閉することができ、小物品を収納溝６１に保存したりすることができ、また、上蓋３に機能モジュール４が設けられており、使用者が機能モジュール４による対応する機能を利用することができ、このように、酒貯蔵庫の最上部の空間が活用され、酒貯蔵庫の実用性が向上し、使用者のニーズが満たされる。
【００３９】
前記上蓋３と本体２は分離可能であり、上蓋３のさらなる設計が可能であり、本体２の構造が一定の場合、上蓋３の設計を変更することにより、様々な意匠案が可能である。
【００４０】
一回に射出成形されるドア１は、一般的な酒貯蔵庫のようにアルミ型材を接合したドアと異なり、一回射出成形のプロセスを採用することにより、外観性がよりよく、本体２が一定の場合、ドア１の設計だけを拡張させて、様々なスタイルの外観にすることが可能である。
【００４１】
前記機能モジュール４を無線充電モジュールとすると、使用者が携帯電話などの機器を無線充電モジュールにより無線充電することができ、前記機能モジュール４を誘導加熱モジュールとすると、使用者がワイングラスを誘導加熱モジュールに置いて加熱することができ、前記機能モジュール４を誘導デキャンタージュモジュールとすると、使用者がデキャンタを誘導デキャンタージュモジュールに置いて誘導デキャンタージュを行うことができ、それにより、無線充電、加熱又はデキャンタージュ機能が達成され、使用者の様々なニーズが満たされる。
【００４２】
従来の酒貯蔵庫は酒の収納しかできず、機能が単一であり、化粧品が高温を受けると、油と水が分離したり、エキスが乾固したりして変質を引き起こすので、化粧品の変質を回避するために化粧品を低温で保存する必要があり、このため、酒貯蔵庫に化粧品を保存する化粧ボックスを配置し、使用者が化粧品を化粧ボックスに入れることにより、酒貯蔵庫で酒を冷蔵できるとともに、化粧品を冷蔵できる酒貯蔵庫の開発が十分に重要となっている。
【００４３】
実施例４
図８〜図１３に示すように、酒貯蔵庫は、本体２、ドア１、仕切り層板４３、及び棚４４を含み、前記棚４４は上層板４５、下層板４６、支持ロッド４７、化粧品を収納する化粧ボックス４８、第１の仕切り板４９、及び第２の仕切り板４１０を含む。
【００４４】
前記上層板４５にワイングラス係止溝５１が開けられ、前記下層板４６はその幅方向に間隔を空けて１０本の横方向スロット６１と１０個のソケット６２が開けられ、前記の１０個のソケット６２は、位置が１０本の横方向スロット６１の位置に対応して対応する１０本の横方向スロット６１を貫通し、下層板４６はその幅方向に沿って２本の縦方向スロット６３を開けている。
【００４５】
前記支持ロッド４７は、一端が上層板４５に接続され、他端が下層板４６に接続され、前記上層板４５、支持ロッド４７及び下層板４６により棚が画定される。
【００４６】
前記第１の仕切り板４９の底部に挿入板９１が設けられ、前記第２の仕切り板４１０の底部にプラグ１０１が間隔を空けて設けられ、第２の仕切り板４１０の最上部には、酒瓶を配置することを容易にする凹溝１０２が間隔を空けて設けられ、前記凹溝１０２は円弧形凹溝である。
【００４７】
前記棚４４は本体２のチャンバーの上部に設けられ、前記仕切り層板４３は本体２のチャンバーの下部に間隔を空けて設けられ、仕切り層板４３と仕切り層板４３との間が酒貯蔵領域１００となる。
【００４８】
前記ドア１は本体２にヒンジ連結されて、棚４４及び酒貯蔵領域１００を開閉する。
【００４９】
前記化粧ボックス４８内に層板８１が配置され、前記層板８１には、口紅を放置する配置口８２が間隔を空けて設けられ、前記化粧ボックス４８の底部には、シート８３が設けられる。
【００５０】
前記化粧ボックス４８のシート８３は１０番目の横方向スロット６１に挿入され、化粧ボックス４８は下層板４６に係合され、前記第１の仕切り板４９の挿入板９１は３番目の横方向スロット６１に挿入され、第２の仕切り板４１０のプラグ１０１は一番目の縦方向スロット６３に挿入され、第１の仕切り板４９、第２の仕切り板４１０及び化粧ボックス４８が共同で棚を仕切り、それにより共同で棚のレイアウトを調整する。
【００５１】
前記化粧ボックス４８の最上部が開放し、開放部にはカバーが設けられ、カバーは化粧ボックス４８を開閉する。
【００５２】
使用者が酒瓶のサイズ又は形状に応じて、第１の仕切り板４９の挿入板９１を横方向スロット６１又は縦方向スロット６３に挿入して棚のレイアウトを調整し、第２の仕切り板４１０のプラグ１０１を縦方向スロット６３又はソケット６２に挿入して層板８１のレイアウトを調整し、化粧ボックス４８のシート８３を横方向スロット６１に挿入して棚のレイアウトを調整し、そのため、化粧ボックス４８、第１の仕切り板４９及び第２の仕切り板４１０の下層板４６での位置をどのように調整するかは全て本考案の技術的範囲に属する。
【図１】
0003234592.tif 000003
【図２】
0003234592.tif 000004
【図３】
0003234592.tif 000005
【図４】
0003234592.tif 000006
【図５】
0003234592.tif 000007
【図６】
0003234592.tif 000008
【図７】
0003234592.tif 000009
【図８】
0003234592.tif 000010
【図９】
0003234592.tif 000011
【図１０】
0003234592.tif 000012
【図１１】
0003234592.tif 000013
【図１２】
0003234592.tif 000014
【図１３】
0003234592.tif 000015